(57)【要約】【課題】  前身ごろの胸部の内側にパッド用のポケットを設けた無縫製ニットインナーウエアを提供することである。【解決手段】  無縫製ニットブラジャー１は、前身ごろ２と、後身ごろ５と、前身ごろ２の胸部２’の内側に設けられるパッド用のポケット４ａ，４ｂと、を備え、前記ポケット４ａ，４ｂがニット針とミス針との交互連続編みによって前身ごろ２のカップ部６ａ，６ｂと共に編成されるポケット地３ａ，３ｂによって形成される。【選択図】  図２
2019131932.tif 000002
【特許請求の範囲】
【請求項１】
前身ごろと、後身ごろと、前身ごろの胸部の内側に設けられるパッド用のポケットと、を備え、
前記ポケットがニット針とミス針との交互連続編みによって前身ごろの胸部と共に編成されるポケット地によって形成される無縫製ニットインナーウエア。
【請求項２】
前記ポケットは、前身ごろの胸部の内側に編成されるポケット地の端部に開口部を有する請求項１に記載の無縫製ニットインナーウエア。
【請求項３】
前記前身ごろは、胸部の中央部分にニット目が左右の胸部に比べて少ない絞り部を有する請求項1に記載の無縫製ニットインナーウエア。
【請求項４】
よこ編み機を用いた無縫製ニットインナーウエアの製造方法であって、前身ごろの胸部、胸部の内側に編成されるポケット地がニット針とミス針との交互連続編みによって編成される無縫製ニットインナーウエアの製造方法。
【請求項５】
前記ポケット地は、前身ごろ側のニット針列のうち前身ごろを編成するニット針を除くミス針、又は後身ごろ側のニット針列のうち後身ごろを編成するニット針を除くミス針によって編成される請求項８に無縫製ニットインナーウエアの製造方法。
【請求項６】
前記ポケット地は、前身ごろを編成する際には後身ごろ側に移動し、後身ごろを編成する際には前身ごろ側に移動する請求項５に記載の無縫製ニットインナーウエアの製造方法。
【発明の詳細な説明】
【技術分野】
【０００１】
本発明は、ブラジャー、ブラトップ、タンクトップなどのインナーウエアの胸部の内側にパッド用のポケットを有する無縫製ニットインナーウエア及びその製造方法に関する。
【背景技術】
【０００２】
従来の無縫製ニットブラジャーとしては、円形編み機により製造したものが知られており、製造されたニットブラジャーには必要に応じてポケット又はポケット状の領域が形成される(特許文献１参照)。
【０００３】
しかしながら、上記従来のニットブラジャーに形成されるポケット又はポケット状の領域は、管状部分を形成したあとの別のステップにおいて形成されるために、製造工程が複雑になると共に製造時間が掛かって生産効率が低下する問題があった。
【特許文献１】特表２００８‐５３０３７５号公報
【発明の開示】
【発明が解決しようとする課題】
【０００４】
そこで、本発明の目的は、前身ごろの胸部の内側にパッド用のポケットを設けた無縫製ニットインナーウエア及び前身ごろの胸部の内側にパッド用のポケットを容易に編成することのできる製造方法を提供することである。
【課題を解決するための手段】
【０００５】
上記課題を解決するために、本発明に係る無縫製ニットインナーウエアは、前身ごろと、後身ごろと、前身ごろの胸部の内側に設けられるパッド用のポケットと、を備え、前記ポケットがニット針とミス針との交互連続編みによって前身ごろの胸部と共に編成されるポケット地によって形成される。
【０００６】
また、本発明の無縫製ニットインナーウエアは、前記ポケットが前身ごろの胸部の内側に編成されるポケット地の端部に開口部を有してもよい。
【０００７】
また、本発明の無縫製ニットインナーウエアは、前記前身ごろの胸部の中央部分にニット目が左右の胸部に比べて少ない絞り部を有してもよい。
【０００８】
本発明に係る無縫製ニットインナーウエアの製造方法は、よこ編み機を用いた無縫製ニットインナーウエアの製造方法であって、前身ごろの胸部、胸部の内側に編成されるポケット地がニット針とミス針との交互連続編みによって編成されている。
【０００９】
また、本発明の無縫製ニットインナーウエアの製造方法は、前記ポケット地が、前身ごろ側のニット針列のうち前身ごろを編成するニット針を除くミス針、又は後身ごろ側のニット針列のうち後身ごろを編成するニット針を除くミス針によって編成されてもよい。
【００１０】
また、本発明の無縫製ニットインナーウエアの製造方法は、前記ポケット地が、前身ごろを編成する際には後身ごろ側に移動し、後身ごろを編成する際には前身ごろ側に移動してもよい。
【発明の効果】
【００１１】
本発明に係る無縫製ニットインナーウエアは、前身ごろの胸部の内側にパッド用のポケットを有しているので、市販されている布地のブラジャーと同様、パッドの装着及びパッドの入れ替えが可能である。
【００１２】
また、本発明に係る無縫製ニットインナーウエアの製造方法によれば、無縫製ニットインナーウエアの胸部の内側にパッド用のポケットを容易に編成することができる。
【発明を実施するための最良の形態】
【００１３】
以下、本発明に係る無縫製ニットインナーウエア及びその製造方法について、その実施形態を図面に基づいて詳細に説明する。なお、図面は、本発明の無縫製ニットインナーウエア及びその製造方法を模式的に表したものである。これらの実物の寸法、寸法比及び編み目数は、図面上の寸法、寸法比及び編み目数と必ずしも一致していない。また、重複説明は適宜省略させることがあり、同一部材には同一符号を付与することがある。また、実施形態の説明の中で用いている左と右、上と下は、図１上での左右、上下を基準としている。さらに、本発明の技術的範囲は以下で説明する各実施の形態には限定されず、特許請求の範囲に記載された発明とその均等物に及ぶ点に留意されたい。本発明の無縫製ニットインナーウエアは、ブラジャー、ブラトップ、タンクトップ、袖付きインナーなどのインナーウエアに幅広く適用されるものである。
【００１４】
図１乃至図３には、本発明の一実施形態として無縫製ニットインナーウエアを無縫製ニットブラジャー１に適用した例が示されている。この無縫製ニットブラジャー１は、前身ごろ２と、前身ごろ２の胸部２’の内側に設けられる左右一対のパッド用の一対のポケット４ａ，４ｂと、前記前身ごろ２の反対側に編成される後身ごろ５と、を備えている。また、前記前身ごろ２の胸部２’には左右に一対のカップ部６ａ，６ｂが円形状に設けられており、この左カップ部６ａ及び右カップ部６ｂに対応した内側に前記パッド用の左ポケット４ａと右ポケット４ｂがそれぞれ設けられている。なお、前身ごろ２の下部と後身ごろ５の下部には一定幅のリブ１３が編成されている。
【００１５】
前記左ポケット４ａ及び右ポケット４ｂは、ニット針とミス針との交互連続編みによって、前身ごろ２の胸部２’と共に編成される左ポケット地３ａ及び右ポケット地３ｂによって形成されている。左ポケット地３ａと右ポケット地３ｂは、それぞれが対応する左カップ部６ａと右カップ部６ｂを編成する際、各カップ部６ａ，６ｂの端から引き返すように連続編みすることによって、各カップ部６ａ，６ｂの内側に編成することができる。各ポケット地３ａ，３ｂは、対応する各ポケット４ａ，４ｂの周縁部に接続されており、各ポケット４ａ，４ｂの内部にパッド８が装着される空間を有する。また、各ポケット４ａ，４ｂは、各ポケット地３ａ，３ｂの端部に開口部７ａ，７ｂを有している。この開口部７ａ，７ｂは各ポケット４ａ、４ｂの周縁部にあればよく、図２に示される位置に限定されないことは勿論である。開口部７ａ，７ｂは、各ポケット４ａ，４ｂ内へのパッド８の装入やパッド８の入れ替えを可能とするためのものである。パッド８は柔らかくて薄いクッション材からなるので、開口部７ａ，７ｂの大きさはそれに見合ったもので足りる。
【００１６】
本実施形態では、前記前身ごろ２の胸部２’の中央部分にニット目が左右の胸部に比べて少ない絞り部９ａ，９ｂが設けられている。この絞り部９ａ，９ｂは、胸部２’に設けられた左カップ部６ａと右カップ部６ｂとの間の上部と下部に設けられる。上部に設けられる上部絞り部９ａは一対のカップ部６ａ，６ｂの上縁部に沿ってほぼ逆三角形状に形成され、下部に設けられる下部絞り部９ｂは一対のカップ部６ａ，６ｂの下縁部に沿ってほぼ三角形状に形成されている。このように、左右のカップ部６ａ，６ｂの間に一対の絞り部９ａ，９ｂを上下に設けたことで、カップ部６ａ，６ｂの膨らみに自然な立体感を持たせることができる。
【００１７】
上記一対の絞り部９ａ，９ｂは、一対のカップ部６ａ，６ｂ及び一対のポケット地３ａ，３ｂを編成するニット目に比べて少ないニット目で編成されている。例えば、図４に示されるように、一対のカップ部６ａ，６ｂのニット目の数に比べて絞り部９ａ，９ｂのニット目の数は少ない。そして、絞り部９ａ，９ｂの各中心部９ａ’，９ｂ’に向かってニット目の数を順次少なくすることで、上部絞り部９ａがほぼ逆三角形状に近いものとなり、下部絞り部９ｂがほぼ三角形状に近いものとなる。このように、上下の絞り部９ａ，９ｂを設けたことにより、相対的に一対のカップ部６ａ，６ｂ及び一対のポケット地３ａ，３ｂはゆとりを得ることになる。なお、絞り部９ａ，９ｂのニット目の数を減らす手段は上記の他にも取り得ることができる。その場合、絞り部９ａ，９ｂの形状も上記とは異なるものとなる。
【００１８】
本実施形態の無縫製ニットブラジャー１は、図１及び図２に示したように、前記前身ごろ２の上部に左右一対の前肩部１０ａ，１０ｂを設けている。この前肩部１０ａ，１０ｂは前身ごろ２の編成後に続いて編成される。また、後身ごろ５の上部にも左右一対の後肩部１１ａ，１１ｂを設けており、後肩部１１ａ，１１ｂは後身ごろ５の編成後に続いて編成される。さらに、一対の前肩部１０ａ，１０ｂの上端と一対の後肩部１１ａ，１１ｂの上端は縫製部を有することなく接続される。このように、前身ごろ２と後身ごろ５は、前肩部１０ａ，１０ｂ及び後肩部１１ａ，１１ｂを含めて全体が無縫製で筒状に形成された無縫製ニットブラジャーを構成する。
【００１９】
前記前身ごろ２の胸部２’、一対のポケット地３ａ，３ｂ及び後身ごろ５は、いずれもニット針とミス針との交互連続編みによって編成されている。ニット針とミス針との交互連続編みとは、例えば図５に示したように、一枚の編み地１２を編成する場合に、１，２，３，４，５，６，７，８，９，１０，１１，１２と連続するニット針列３０に対して、符号１，３，５，７，９，１１のように奇数番号の位置にある針はニット目１２ａを作るためのニット針３０ａとして使用する一方、符号２，４，６，８，１０，１２のように偶数番号の位置にある針はニット目を作らないミス針３０ｂとして使用するものである。すなわち、一つ置きのニット針３０ａで編んだニット目１２ａによって編み地１２が編成される編み方であり、ニット、ミス、ニット、ミスの繰り返しによって編成されている。
【００２０】
図３及び図６基づいて、さらに本実施形態の場合について詳細に説明する。便宜的に図３のマス目の一つひとつが図６の一本ずつのニット針又はミス針と対応している。図３及び図６に示したように、前述した前身ごろ２の胸部２’、ポケット地３ａ，３ｂ及び後身ごろ５は、いずれもニット針とミス針との交互連続編みによって編成される。前身ごろ２の胸部２’は、前身ごろ２側のニット針列３１の奇数番号（１，３，５，・・・）の位置にあるニット針３１ａを使用して編み目１２ｂを作る。また、後身ごろ５は、後身ごろ５側のニット針列３２の奇数番号（１’，３’，５’，・・・）の位置にあるニット針３２ａを使用して編み目１２ｃを作る。このように、前身ごろ２の胸部２’を編成する奇数番号のニット針３１ａ及び後身ごろ５を編成する奇数番号のニット針３２ａは、前後方向で同じ位置にある。すなわち、図３においては縦方向のマス目の位置が一致している。
【００２１】
また、図６に示されるように、この実施形態では一対のポケット地３ａ，３ｂは、後身ごろ５側のニット針列３２の偶数番号（２’，４’，６’，・・・）の位置にある針３２ｂをポケット地３ａ，３ｂを編成する際のニット針として使用し編み目１２ｄを作っている。この針３２ｂは、後身ごろ５を編成する際にはミス針となるものである。よこ編み機は前後２列のニット針列３１，３２を備えているのに対して、本実施形態の無縫製ニットブラジャー１は、前身ごろ２、ポケット地３ａ，３ｂ及び後身ごろ５の３枚の編み地を必要としている。そのため、前身ごろ２の胸部２’及び後身ごろ５のそれぞれの編み目１２ｂ，１２ｃをニット針とミス針との交互連続編みによって編成する一方、前身ごろ２の胸部２’及び後身ごろ５を編成する際のミス針を利用することで、前身ごろ２の胸部２’に接続されるポケット地３ａ，３ｂの無縫製による編成を可能としている。なお、この実施形態ではポケット地３ａ，３ｂを編成するためのニット針として、後身ごろ５を編成する後身ごろ５側のニット針列３２の針３２ｂを利用しているが、前身ごろ２の胸部２’を編成する前身ごろ２側のニット針列３１のミス針３１ｂを利用することでも同様のポケット地３ａ，３ｂを編成することができる。
【００２２】
図７乃至図１０にはよこ編み機を用いて前身ごろ２の胸部２’、ポケット地３ａ，３ｂ、及び後身ごろ５を無縫製で編成する工程が示されている。図７及び図８には一本の糸を用いて編成する場合が示され、図９及び図１０には三本の糸を用いて編成する場合が示される。いずれの場合も前身ごろ２と後身ごろ５の下部をリブ編みしたのち、本実施例の工程に移る。
【００２３】
先ず、無縫製ニットブラジャー１の前身ごろ２のカップ部６ａ，６ｂ、ポケット地３ａ，３ｂ及び後身ごろ５を一本の糸で編成する場合の工程を図７及び図８に基づいて説明する。
【００２４】
図７には無縫製ニットブラジャー１の前身ごろ２の一対のカップ部６ａ，６ｂ、一対のポケット地３ａ，３ｂ及び後身ごろ５を一本糸で編成する場合の工程順が１〜１０で示されている。無縫製ニットブラジャー１の編成は、工程１から始まって工程２、工程３、・・・工程１０と順と進む。工程１から工程１０までを１リピートとすることで縦に２目編成され、これを繰り返すことで前身ごろ２の一対のカップ部６ａ，６ｂ、一対のポケット地３ａ，３ｂ及び後身ごろ５が編み上げられる。前身ごろ２の胸部２’に設けられる一対のカップ部６ａ，６ｂのうち、右カップ部６ｂは工程１と工程４によって編成され、左カップ部６ａは工程６と工程９によって編成される。また、右ポケット４ｂを形成する右ポケット地３ｂは工程２と工程３によって編成され、左ポケット４ａを形成する左ポケット地３ａは工程７と工程８によって編成される。さらに、後身ごろ５は工程５と工程１０によって編成される。
【００２５】
図８には無縫製ニットブラジャー１の前身ごろ２のカップ部６ａ，６ｂ、ポケット地３ａ，３ｂ及び後身ごろ５を一本糸で編成する場合の工程１〜工程１０が示されている。先ず、工程１において一本の糸１５を用いて前身ごろ２の右端から右カップ部６ｂの左端に向けて、右カップ部６ｂの編み目２０ａを縦に１目編成する。編み目２０はニット針とミス針との交互連続編みによって編成される。他の工程における編み目も同様に編成される。
【００２６】
工程２では同じ一本の糸１５を用いて右カップ部６ｂの左端から右ポケット地３ｂの右端に向けて、右ポケット４ｂ用の右ポケット地３ｂの編み目２０ｂを縦に１目編成する。その際、右カップ部６ｂの左端に左カップ部６ａ又は絞り部９ａ又は９ｂと接続するためのタック目２１ｂを作っておく。前述したように、右ポケット地３ｂを編成するニット針は、後身ごろ５を編成する際のミス針を利用する。
【００２７】
工程３では同じ一本の糸１５を用いて右ポケット地３ｂの右端から右ポケット３ｂの左端に向けて、右ポケット地３ｂの編み目２０ｃを縦に１目編成する。右ポケット地３ｂの右端から引き返す際、右ポケット地３ｂの右端に右カップ部６ｂと接続するためのタック目２１ｃを作っておく。なお、図３に示した右ポケット４ｂの開口部７ｂを編成する際にはタック目を作らずにそのまま右端から引き返す。
【００２８】
工程４では同じ一本の糸１５を用いて右カップ部６ｂの左端から前身ごろ２の右端に向けて、右カップ部６ｂの編み目２０ｄを縦に１目編成する。右カップ部６ｂの左端から引き返す際、右カップ部６ｂの左端に左カップ部６ａ又は絞り部９ａ又は９ｂと接続するためのタック目２１ｄを作っておく。
【００２９】
工程５では同じ一本の糸１５を用いて後身ごろ５の右端から後身ごろ５の左端に向けて、後身ごろ５の編み目２０ｅを縦に１目編成する。
【００３０】
工程６では同じ一本の糸１５を用いて前身ごろ２の左端から左カップ部６ａの右端に向けて、左カップ部６ａの編み目２０ｆを縦に１目編成する。
【００３１】
工程７では同じ一本の糸１５を用いて左カップ部６ａの右端から左ポケット地３ａの左端に向けて、左ポケット４ａ用の左ポケット地３ａの編み目２０ｇを縦に１目編成する。その際、左カップ部６ａの右端に右カップ部６ｂ又は絞り部９ａ又は９ｂと接続するためのタック目２１ｇを作っておく。前述した右ポケット地３ｂと同様、左ポケット地３ａを編成するニット針は、後身ごろ５を編成する際のミス針を利用する。
【００３２】
工程８では同じ一本の糸１５を用いて左ポケット地３ａの左端から左ポケット地３ａの右端に向けて、左ポケット地３ａの編み目２０ｈを縦に１目編成する。左ポケット地３ａの左端から引き返す際、左ポケット地３ａの左端に左カップ部６ａと接続するためのタック目２１ｈを作っておく。なお、右ポケット４ｂと同様、左ポケット４ａの開口部７ａを編成する際には、タック目を作らずにそのまま左端から引き返す。
【００３３】
工程９では同じ一本の糸１５を用いて左カップ部６ａの右端から前身ごろ２の左端に向けて、左カップ部６ａの編み目２０ｉを縦に１目編成する。左カップ部６ａの右端から引き返す際、左カップ部６ａの右端に右カップ部６ｂ又は絞り部９ａ又は９ｂと接続するためのタック目２１ｉを作っておく。
【００３４】
最後に、工程１０において同じ一本の糸１５を用いて後身ごろ５の左端から後身ごろ５の右端に向けて、後身ごろ５の編み目２０ｊを縦に１目編成する。
【００３５】
前述したように、工程１から工程１０までの１リピートによって縦に二つの編み目を編成することができる。また、上記工程３と工程８ではそれぞれのタック目２１ｃ、２１ｈの有無によってポケット４ａ，４ｂの開口部７ａ，７ｂと接合部とを編み分することができる。
【００３６】
また、前記一対のポケット地３ａ，３ｂの編成では、後身ごろ５側のニット針列のミス針を利用しているので、一対のポケット地３ａ，３ｂを編成する際にはポケット地３ａ，３ｂを後身ごろ５側に移動させてから編成する。また、前身ごろ２の編み目を編成する際にも一対のポケット地３ａ，３ｂを後身ごろ５側に移動させることで、前身ごろ２を編成するニット針の動きを妨げないようにしている。一方、後身ごろ５を編成する際には一対のポケット地３ａ，３ｂを前身ごろ２側に移動させることで、後身ごろ５を編成するニット針の動きを妨げないようにしている。
【００３７】
なお、前身ごろ２の上部に編成される左右一対の前肩部１０ａ，１０ｂ、及び後身ごろ５の上部に編成される左右一対の後肩部１１ａ，１１ｂは、前記工程１〜工程１０の繰り返しによって前身ごろ２、ポケット地３ａ，３ｂ及び後身ごろ５が編み上がった後の工程で編成される。
【００３８】
次に、無縫製ニットブラジャー１の前身ごろ２のカップ部６ａ，６ｂ、ポケット地３ａ，３ｂ及び後身ごろ５を三本の糸で編成する場合の工程を図９及び図１０に基づいて説明する。一本の糸で編成する場合に比べて編成時間を短縮して生産効率を上げることができるメリットがある。
【００３９】
図９には無縫製ニットブラジャー１の前身ごろ２の一対のカップ部６ａ，６ｂ、一対のポケット地３ａ，３ｂ及び後身ごろ５を三本の糸で編成する場合の工程順が１〜６で示されている。右カップ部６ｂと右ポケット４ｂ用の右ポケット地３ｂを編成する工程１、工程２、工程３、工程４では第１の糸１６が使用される。また、左カップ部６ａと左ポケット４ａ用の左ポケット地３ａを編成する工程２’、工程３’、工程４’、工程５では第２の糸１７が使用される。さらに、後身ごろ５を編成する工程５’、工程６では第３の糸１８が使用される。このように三本の糸１６，１７，１８を用いることで同時編成を可能としている。
【００４０】
図１０には無縫製ニットブラジャー１の前身ごろ２のカップ部６ａ，６ｂ、ポケット地３ａ，３ｂ及び後身ごろ５を三本糸で編成する場合の工程１〜工程６が示されている。先ず、工程１において第１の糸１６を用いて前身ごろ２の右端から右カップ部６ｂの左端に向けて、右カップ部６ｂの編み目２２ａを縦に１目編成する。その際、前身ごろ２の右端に後身ごろ５と接続するためのタック目２３ａを作っておく。なお、一本の糸と同様、編み目２２ａはニット針とミス針との交互連続編みによって編成される。他の工程における編み目も同様に編成される。
【００４１】
工程２では第１の糸１６を用いて右カップ部６ｂの左端から右ポケット地３ｂの右端に向けて、右ポケット４ｂ用の右ポケット地３ｂの編み目２２ｂを縦に１目編成する。その際、右カップ部６ｂの左端に左カップ部６ａ又は絞り部９ａ又は９ｂと接続するためのタック目２３ｂを作っておく。工程２と同じタイミングで工程２’が作動する。工程２’では第２の糸１７を用いて前身ごろ２の左端から左カップ部６ａの右端に向けて、左カップ部６ａの編み目２２ｃを縦に１目編成する。その際、前身ごろの左端に後身ごろ５と接続するためのタック目２３ｃを作っておく。
【００４２】
工程３では第１の糸１６を用いて右ポケット地３ｂの右端から右ポケット３ｂの左端に向けて、右ポケット地３ｂの編み目２２ｄを縦に１目編成する。右ポケット地３ｂの右端から引き返す際、右ポケット地３ｂの右端に右カップ部６ｂと接続するためのタック目２３ｄを作っておく。なお、右ポケット４ｂの開口部７ｂを編成する場合には、タック目２３ｄを作らずにそのまま右端から引き返す。工程３と同じタイミングで工程３’が作動する。工程３’では第２の糸１７を用いて左カップ部６ａの右端から左ポケット地３ａの左端に向けて、左ポケット４ａ用の左ポケット地３ａの編み目２２ｅを縦に１目編成する。その際、左カップ部６ａの右端に右カップ部６ｂ又は絞り部９ａ又は９ｂと接続するためのタック目２３ｅを作っておく。
【００４３】
工程４では第１の糸１６を用いて右カップ部６ｂの左端から前身ごろ２の右端に向けて、右カップ部６ｂの編み目２２ｆを縦に１目編成する。右カップ部６ｂの左端から引き返す際、右カップ部６ｂの左端に左カップ部６ａ又は絞り部９ａ又は９ｂと接続するためのタック目２３ｆを作っておく。工程４と同じタイミングで工程４’が作動する。工程４’では第２の糸１７を用いて左ポケット地３ａの左端から左ポケット地３ａの右端に向けて、左ポケット地３ａの編み目２２ｇを縦に１目編成する。左ポケット地３ａの左端から引き返す際、左ポケット地３ａの左端に左カップ部６ａと接続するためのタック目２３ｇを作っておく。なお、右ポケット４ｂと同様、左ポケット４ａの開口部７ａを編成する際には、タック目２３ｇを作らずにそのまま左端から引き返す。
【００４４】
工程５では第２の糸１７を用いて左カップ部６ａの右端から前身ごろ２の左端に向けて、左カップ部６ａの編み目２２ｈを縦に１目編成する。左カップ部６ａの右端から引き返す際、左カップ部６ａの右端に右カップ部６ｂ又は絞り部９ａ又は９ｂと接続するためのタック目２３ｈを作っておく。工程５と同じタイミングで工程５’が作動する。工程５’では第３の糸１８を用いて後身ごろ５の右端から後身ごろ５の左端に向けて、後身ごろ５の編み目２２ｉを縦に１目編成する。その際、後身ごろ５の右端に前身ごろ２と接続するためのタック目２３ｉを作る。
【００４５】
最後に、工程６において第３の糸１８を用いて後身ごろ５の左端から後身ごろ５の右端に向けて、後身ごろ５の編み目２２ｊを縦に１目編成する。後身ごろ５の左端から引き返す際、後身ごろ５の左端に前身ごろ２と接続するためのタック目２３ｊを作る。
【００４６】
このように、三本の糸１６，１７，１８を用いることで、工程２と工程２’、 工程３と工程３’、 工程４と工程４’、 工程５と工程５’を同じタイミングで作動させることができるので、一本の糸１５を用いた場合に比べて編成時間を短縮することができる。
【００４７】
上記の実施形態では一本及び三本の糸で無縫製ニットブラジャー１の前身ごろ２のカップ部６ａ，６ｂ、ポケット地３ａ，３ｂ及び後身ごろ５を編成する工程を説明したが、本発明の製造方法は糸の本数には限定されないものである。また、上記の実施形態では前身ごろ２の右カップ部６ｂの編成から工程を始めているが、他の部位から始めることも可能であり、工程順についても特に限定されないものである。
【図面の簡単な説明】
【００４８】
【図１】本発明の一実施形態に係る無縫製ニットブラジャーの正面側の斜視図である。
【図２】無縫製ニットブラジャーの背面側の斜視図である。
【図３】前身ごろの一対のカップ部、一対のポケット地及び後身ごろを無縫製ニットブラジャーの上面側から見た断面模式図である。
【図４】前身ごろの胸部に設けられる絞り部の模式図である。
【図５】ニット針とミス針との交互連続編みで編み目を編成するニット針とミス針との関係を示す説明図である。
【図６】後身ごろ側の針列を使ってポケット地を編成する場合の説明図である。
【図７】前身ごろの一対のカップ部、一対のポケット地及び後身ごろを一本糸で編成する場合の工程順を示した図である。
【図８】前身ごろの一対のカップ部、一対のポケット地及び後身ごろを一本糸で編成する場合の工程図である。
【図９】前身ごろの一対のカップ部、一対のポケット地及び後身ごろを三本糸で編成する場合の工程順を示した図である。
【図１０】前身ごろの一対のカップ部、一対のポケット地及び後身ごろを三本糸で編成する場合の工程図である。
【符号の説明】
【００４９】
１  無縫製ニットブラジャー（無縫製ニットインナーウエア）
２  前身ごろ
２’  前身ごろの胸部
３ａ  左ポケット地
３ｂ  右ポケット地
４ａ  左ポケット
４ｂ  右ポケット
５  後身ごろ
６ａ  左カップ部
６ｂ  右カップ部
７ａ，７ｂ  開口部
８  パッド
９ａ  上部絞り部
９ａ’  上部絞り部の中心部
９ｂ  下部絞り部
９ｂ’  下部絞り部の中心部
１０ａ，１０ｂ  前肩部
１１ａ，１１ｂ  後肩部
１２  編み地
１２ａ  編み目
１３  リブ
１５  一本の糸
１６  第１の糸
１７  第２の糸
１８  第３の糸
２０ａ〜２０ｊ  編み目
２１ｂ，２１ｃ，２１ｄ，２１ｇ，２１ｈ，２１ｉ  タック目
２２ａ〜２２ｊ  編み目
２３ａ〜２３ｊ  タック目
３０  ニット針列
３０ａ，３１ａ，３２ａ  ニット針
３０ｂ，３１ｂ，  ミス針
３１  前身ごろ側のニット針列
３２  後身ごろ側のニット針列
３２ｂ  ポケット地を編成するニット針となる針
【図１】
2019131932.tif 000003
【図２】
2019131932.tif 000004
【図３】
2019131932.tif 000005
【図４】
2019131932.tif 000006
【図５】
2019131932.tif 000007
【図６】
2019131932.tif 000008
【図７】
2019131932.tif 000009
【図８】
2019131932.tif 000010
【図９】
2019131932.tif 000011
【図１０】
2019131932.tif 000012
【手続補正書】
【提出日】平成30年10月26日(2018.10.26)
【手続補正１】
【補正対象書類名】特許請求の範囲
【補正対象項目名】請求項５
【補正方法】変更
【補正の内容】
【請求項５】
前記ポケット地は、前身ごろ側のニット針列のうち前身ごろを編成するニット針を除くミス針、又は後身ごろ側のニット針列のうち後身ごろを編成するニット針を除くミス針によって編成される請求項４に記載の無縫製ニットインナーウエアの製造方法。